(57)【要約】【課題】容器体の外壁体間に仕切板を着脱機構により着脱自在に配置することができ、この仕切板を外壁体から外したり、仕切板を外壁体に取り付けたり、複数個の仕切板を用意し、任意の枚数の仕切板を着脱配置することにより収納空間を大小に変更することができ、収納の融通性を高めることができ、これら仕切板に各種物品を吊下保持可能な吊下保持部を設けてなるから、仕切板に設けられた吊下保持部に各種物品を吊下保持することにより収納空間を有効利用することができ、収納効率を向上することができる。【解決手段】合成樹脂製の開口容器状の容器体１の外壁体３に容器体の内部を区画する仕切板４を着脱機構５により着脱自在に配設してなり、仕切板に各種物品を吊下保持可能な吊下保持部９を設けてなる。【選択図】図１
2005186952.tif 000002
【特許請求の範囲】
【請求項１】
合成樹脂製の開口容器状の容器体の外壁体に容器体の内部を区画する仕切板を着脱機構により着脱自在に配設してなり、上記仕切板に各種物品を吊下保持可能な吊下保持部を設けてなることを特徴とする容器。
【請求項２】
上記各種物品は左官用鏝であることを特徴とする請求項１記載の容器。
【請求項３】
上記左官用鏝は鏝板、握持杆及び連結杆からなり、上記吊下保持部は、該左官用鏝の鏝板及び握持杆が上記仕切板の各板面にそれぞれ対向すると共に鏝板の先端が下方に向く上下方向に吊下配置可能な該鏝板と該握持杆との対向距離に合う間隔保持部と該左官用鏝の連結杆を位置決め可能な溝幅をもつ位置決め溝部とからなることを特徴とする請求項２記載の容器。
【請求項４】
上記位置決め溝部に上記左官用鏝の連結杆を任意の挟圧状態で保持可能な溝幅に削取可能な肉薄の任意削取部が設けられていることを特徴とする請求項３記載の容器。
【請求項５】
上記着脱機構は、上記外壁体に形成された雌係合部と上記仕切板の各側端面に形成された相互に上下方向に摺動係合自在な雄係合部とからなることを特徴とする請求項１〜４のいずれか１項に記載の容器。
【請求項６】
上記外壁体の外面に上記雌係合部の形成位置に対応して雌係合部を形成するための上下方向に延びる凸条部を形成してなることを特徴とする１〜５のいずれか１項に記載の容器。
【発明の詳細な説明】
【技術分野】
【０００１】
本発明は例えば左官用鏝などの建築用具、建築部品、機械部品等の小物類の収納や運搬に用いられる容器に関するものである。
【背景技術】
【０００２】
従来、この種の容器として、合成樹脂製の開口容器状の容器体の外壁体に容器体の内部を区画する仕切板を着脱機構により着脱自在に配設し、容器体内の収納空間を複数個の仕切板の着脱により大小に区画変更可能に設け、各種小物類の大きさに対する収納の融通性をもたせた構造のものが知られている。
【特許文献１】実用新案登録第３０００８７８号公報
【発明の開示】
【発明が解決しようとする課題】
【０００３】
しかしながら上記従来構造の場合、容器体の内部を仕切板により区画変更することはできるものの、例えば、種類の豊富な左官用鏝などの嵩の大きな建築用具にあっては、それだけで収納空間を塞いでしまい、収納効率が低下することがあるという不都合を有している。
【課題を解決するための手段】
【０００４】
本発明はこれらの不都合を解決することを目的とするもので、本発明のうちで、請求項１記載の発明にあっては、合成樹脂製の開口容器状の容器体の外壁体に容器体の内部を区画する仕切板を着脱機構により着脱自在に配設してなり、上記仕切板に各種物品を吊下保持可能な吊下保持部を設けてなることを特徴とする容器にある。
【０００５】
又、請求項２記載の発明は、上記各種物品は左官用鏝であることを特徴とするものであり、又、請求項３記載の発明は、上記左官用鏝は鏝板、握持杆及び連結杆からなり、上記吊下保持部は、該左官用鏝の鏝板及び握持杆が上記仕切板の各板面にそれぞれ対向すると共に鏝板の先端が下方に向く上下方向に吊下配置可能な該鏝板と該握持杆との対向距離に合う間隔保持部と該左官用鏝の連結杆を位置決め可能な溝幅をもつ位置決め溝部とからなることを特徴とするものであり、又、又、請求項４記載の発明は、上記位置決め溝部に上記左官用鏝の連結杆を任意の挟圧状態で保持可能な溝幅に削取可能な肉薄の任意削取部が設けられていることを特徴とするものである。
【０００６】
又、請求項５記載の発明は、上記着脱機構は、上記外壁体に形成された雌係合部と上記仕切板の各側端面に形成された相互に上下方向に摺動係合自在な雄係合部とからなることを特徴とするものであり、又、請求項６記載の発明は、上記外壁体の外面に上記雌係合部の形成位置に対応して雌係合部を形成するための上下方向に延びる凸条部を形成してなることを特徴とするものである。
【発明の効果】
【０００７】
本発明は上述の如く、請求項１記載の発明にあっては、容器体の外壁体間に仕切板を着脱機構により着脱自在に配置することができ、この仕切板を外壁体から外したり、仕切板を外壁体に取り付けたり、複数個の仕切板を用意し、任意の枚数の仕切板を着脱配置することにより収納空間を大小に変更することができ、収納の融通性を高めることができ、これら仕切板に各種物品を吊下保持可能な吊下保持部を設けてなるから、仕切板に設けられた吊下保持部に各種物品を吊下保持することにより収納空間を有効利用することができ、収納効率を向上することができる。
【０００８】
又、請求項２記載の発明にあっては、上記各種物品は左官用鏝であるから、仕切板に設けられた吊下保持部に左官用鏝を吊下保持することにより収納空間を有効利用することができ、収納効率を向上することができ、又、請求項３記載の発明にあっては、上記左官用鏝は鏝板、握持杆及び連結杆からなり、上記吊下保持部は、左官用鏝の鏝板及び握持杆が上記仕切板の各板面にそれぞれ対向すると共に鏝板の先端が下方に向く上下方向に吊下配置可能な鏝板と握持杆との対向距離に合う間隔保持部と左官用鏝の連結杆を位置決め可能な溝幅をもつ位置決め溝部とからなるので、左官用鏝部を仕切板に安定的に吊下保持することができ、又、請求項４記載の発明にあっては、上記位置決め溝部に上記左官用鏝の連結杆を任意の挟圧状態で保持可能な溝幅に削取可能な肉薄の任意削取部が設けられているから、上記左官用鏝の連結杆を挟圧状態に保持することができ、一層安定的に吊下保持することができる。
【０００９】
又、請求項５記載の発明にあっては、上記着脱機構は、上記外壁体に形成された雌係合部と上記仕切板の各側端面に形成された相互に上下方向に摺動係合自在な雄係合部とからなるので、仕切板の着脱構造を簡素化することができ、又、請求項６記載の発明にあっては、上記外壁体の外面に上記雌係合部の形成位置に対応して雌係合部を形成するための上下方向に延びる凸条部を形成しているから、外壁体の全周の厚さを厚くせずに、外壁体の内面を収納に邪魔となる突出部分が存在しない平坦面に形成することができ、それだけ収納スペースを良好に確保することができ、かつ、外壁体の外面の凸状部は容器体の補強用リブとしても作用し、即ち、凸状部は収納スペースを減ずることなく、雌係合部を形成するための形成部材及び補強リブを兼用することになり、一層収納の融通性を高めることになる。
【発明を実施するための最良の形態】
【００１０】
図１乃至図８は本発明の実施の形態例を示し、１は容器体であって、合成樹脂により製作され、容器体１に合成樹脂製の蓋体２を着脱自在に被嵌し、この容器体１の対向する外壁体３・３間に仕切板４及び仕切板Ｍを着脱機構５により着脱自在に配設し、この着脱機構５として、相互に上下方向に摺動係合自在にして外壁体３・３にそれぞれ形成された対向一対の複数対の雌係合部６・６・・・と仕切板４・Ｍの各側端面にそれぞれ形成された雄係合部７・７とを形成してなり、そして、上記外壁体３・３の外面に雌係合部６・６の形成位置に対応して雌係合部６・６を形成するための上下方向に延びる凸条部８を形成して構成している。
【００１１】
この場合、上記雄係合部７・７及び雌係合部６・６・・・を上記外壁体間の対向距離の増加時に相互に鉤状に係止して外壁体３・３からの仕切板４・Ｍの離脱を阻止可能な鉤状に形成され、この場合、雄係合部７・７は略Ｔ条状に形成され、雌係合部６・６は略凹条状に形成されている。
【００１２】
９は吊下保持部であって、図６乃至図８の如く、上記仕切板４は各種物品、この場合、各種用途の複数個の左官用鏝Ｗを吊下保持可能に設けられ、この左官用鏝Ｗは金属製の鏝板Ｗ1、木製の握持杆Ｗ2及び金属製の連結杆Ｗ3からなり、しかして、この場合、上記吊下保持部９は、左官用鏝Ｗの鏝板Ｗ1及び握持杆Ｗ2が上記仕切板４の各板面４ａ・４ｂにそれぞれ対向すると共に鏝板Ｗ1の先端が下方に向く上下方向に吊下配置可能な、鏝板Ｗ1と握持杆Ｗ2との対向距離Ｈに合う間隔保持部９ａと左官用鏝Ｗの連結杆Ｗ3を位置決め可能な溝幅Ｂをもつ複数個の並列する位置決め溝部９ｂとにより形成され、かつ、上記位置決め溝部９ｂに上記左官用鏝Ｗの連結杆Ｗ3を任意の挟圧状態で保持可能な溝幅Ｂにヤスリや刃物等で削取可能な肉薄の対向一対の任意削取部９ｃ・９ｃが設けられている。
【００１３】
この実施の形態例は上記構成であるから、容器体１の外壁体３・３間に仕切板４・Ｍを着脱機構５により着脱自在に配置することができ、この仕切板４・Ｍを外壁体３から外したり、仕切板４・Ｍを外壁体３に取り付けたり、複数個の仕切板４・Ｍを用意し、任意の枚数の仕切板４・Ｍを着脱配置することにより収納空間を大小に変更することができ、収納の融通性を高めることができ、これら仕切板４に各種物品を吊下保持可能な吊下保持部９を設けてなるから、仕切板４に設けられた吊下保持部９に各種物品を吊下保持することにより収納空間を有効利用することができ、収納効率を向上することができる。
【００１４】
この場合、上記各種物品は左官用鏝Ｗであるから、仕切板４に設けられた吊下保持部９に左官用鏝Ｗを吊下保持することにより収納空間を有効利用することができ、収納効率を向上することができ、又、この場合、上記左官用鏝Ｗは鏝板Ｗ1、握持杆Ｗ2及び連結杆Ｗ3からなり、上記吊下保持部９は、左官用鏝Ｗの鏝板Ｗ1及び握持杆Ｗ2が上記仕切板４の各板面４ａ・４ｂにそれぞれ対向すると共に鏝板Ｗ1の先端が下方に向く上下方向に吊下配置可能な鏝板Ｗ1と握持杆Ｗ2との対向距離Ｈに合う間隔保持部９ａと左官用鏝Ｗの連結杆Ｗ3を位置決め可能な溝幅Ｂをもつ位置決め溝部９ｂとからなるので、左官用鏝部Ｗを仕切板４に安定的に吊下保持することができ、又、この場合、上記位置決め溝部９ｂに上記左官用鏝Ｗの連結杆Ｗ3を任意の挟圧状態で保持可能な溝幅Ｂに削取可能な肉薄の任意削取部９ｃ・９ｃが設けられているから、上記左官用鏝Ｗの連結杆Ｗ3を挟圧状態に保持することができ、一層安定的に吊下保持することができる。
【００１５】
又、この場合、上記着脱機構５は、上記外壁体３・３に形成された雌係合部６と上記仕切板４・Ｍの各側端面に形成された相互に上下方向に摺動係合自在な雄係合部７とからなるので、仕切板４・Ｍの着脱構造を簡素化することができ、又、この場合、上記上記外壁体３・３の外面に上記雌係合部６の形成位置に対応して雌係合部６を形成するための上下方向に延びる凸条部８を形成しているから、外壁体３の全周の厚さを厚くせずに、外壁体３の内面を収納に邪魔となる突出部分が存在しない平坦面に形成することができ、それだけ収納スペースを良好に確保することができ、かつ、外壁体３の外面の凸状部８は容器体１の補強用リブとしても作用し、即ち、凸状部８は収納スペースを減ずることなく、雌係合部６を形成するための形成部材及び補強リブを兼用することになり、一層収納の融通性を高めることになる。
【００１６】
又、この場合、上記雄係合部７及び雌係合部６を上記外壁体３・３間の対向距離Ｌの増加時に相互に鉤状に係止して外壁体３からの仕切板４の離脱を阻止可能な鉤状に形成しているから、収納した小物類の過大な重量や過大な大きさの小物類を無理に収納しょうとする開き力により外壁体３・３間の対向距離が増加し、この距離の増加により仕切板４が外壁体３から外れて取れようとしても、雌係合部６及び雄係合部７は互いに鉤状に係止し合い、外壁体３・３からの仕切板４の離脱を確実に阻止することができ、又、この場合、上記雄係合部７は略Ｔ条状に形成され、上記雌係合部６は略凹条状に形成されているから、外壁体３・３間の距離を増加させようとする開き力の方向以外の分力がもたらす略凹条状の雌係合部６の凹形状の口開き変形を阻止することができ、外壁体３・３からの仕切板４の離脱を一層確実に阻止することができる。
【００１７】
尚、本発明は上記実施の形態例に限られるものではなく、容器体１、外壁体３、仕切板４・Ｍ、雌係合部６及び雄係合部７の構造や数や雌係合部６及び雄係合部７の形状等は適宜変更して設計され、又、上記実施の形態例では、外壁体３・３間に仕切板４・Ｍを着脱自在に係合する構造となっているが、容器体１に中壁体が形成され、この中壁体と外壁体３との間に仕切体４・Ｍを配置する構造にも適用することもできるものである。
【００１８】
以上、所期の目的を充分達成することができる。
【図面の簡単な説明】
【００１９】
【図１】本発明の実施の形態例の全体斜視図である。
【図２】本発明の実施の形態例の全体平面図である。
【図３】本発明の実施の形態例の部分斜視図である。
【図４】本発明の実施の形態例の部分斜視図である。
【図５】本発明の実施の形態例の側断面図である。
【図６】本発明の実施の形態例の部分断面図である。
【図７】本発明の実施の形態例の部分平断面図である。
【図８】本発明の実施の形態例の部分正断面図である。
【符号の説明】
【００２０】
Ｗ    左官用鏝
Ｗ1    鏝板
Ｗ2    握持杆
Ｗ3    連結杆
Ｈ    対向距離
Ｂ    溝幅
１    容器体
２    蓋体
３    外壁体
４    仕切板
５    着脱機構
６    雌係合部
７    雄係合部
８    凸状部
９    吊下保持部
９ａ    間隔保持部
９ｂ    位置決め溝部
【図１】
2005186952.tif 000003
【図２】
2005186952.tif 000004
【図３】
2005186952.tif 000005
【図４】
2005186952.tif 000006
【図５】
2005186952.tif 000007
【図６】
2005186952.tif 000008
【図７】
2005186952.tif 000009
【図８】
2005186952.tif 000010